(57)【要約】【課題】モバイルメッセンジャーサービスを利用したチャット参加者間に音声メッセージを伝送できる移動通信端末機及びその方法を提供する。【解決手段】本発明の方法は、モバイルメッセンジャーサービスの実行中に入力される音声メッセージ伝送要請に応答して、音声メッセージを録音する過程と、前記録音された音声メッセージを含むオーディオ伝送パケットを生成する過程と、前記オーディオ伝送パケットをパケットデータ通信網に伝送するオーディオ伝送過程と、を含む。従って、本発明は、移動通信網システムまたはサーバーを経由せずに、直接音声メッセージを送受信することができる。【選択図】図３
2007295576.tif 000002
【特許請求の範囲】
【請求項１】
モバイルメッセンジャーサービスを行う移動通信端末機において、
周辺の音声波の収集及び音声波のオーディオ信号への変換を行うマイク部と、
前記変換されたオーディオ信号を格納するオーディオ格納部と、
前記格納されたオーディオ信号を含むオーディオ伝送パケットを生成するオーディオ伝送データ生成部と、
パケットデータ通信網とのインタフェースを提供するパケットデータ通信網インタフェース部と、
モバイルメッセンジャーサービスの実行中に入力されるオーディオ伝送要請に応答して、前記マイク部を介して入力されるオーディオ信号を指定されたチャット相手端末機に送信するように、前記マイク部、前記オーディオ格納部、前記オーディオ伝送データ生成部及び前記転送パケットデータ通信網インタフェース部を制御する制御部と、を含むことを特徴とする移動通信端末機。
【請求項２】
前記マイク部は、前記移動通信端末機のユーザの音声メッセージを入力されて、前記オーディオ格納部に伝達することを特徴とする請求項１に記載の移動通信端末機。
【請求項３】
前記オーディオ伝送データ生成部は、前記入力されるユーザの音声メッセージを符号化し、一度に伝送可能な大きさに分割した後、当該分割された音声メッセージと、自身のＩＰアドレス及び相手方のＩＰアドレスとを含むオーディオ伝送パケットを生成することを特徴とする請求項２に記載の移動通信端末機。
【請求項４】
前記オーディオ伝送データ生成部は、前記収集された音声メッセージをＥＶＲＣ方式で圧縮して分割伝送することを特徴とする請求項３に記載の移動通信端末機。
【請求項５】
前記パケットデータ通信網インタフェース部は、モバイルメッセンジャーサービスの実行中に指定された他の移動通信端末機に前記格納された音声メッセージを伝送するために、前記制御部の制御を受けて、前記オーディオ伝送パケットをパケットデータ通信網に送信することを特徴とする請求項１に記載の移動通信端末機。
【請求項６】
オーディオ伝送パケットをデコードするオーディオデコーダーと、
前記デコードされたオーディオ伝送パケットを音声波として出力するスピーカー部と、をさらに含み、
前記パケットデータ通信網インタフェース部は、モバイルメッセンジャーサービス実行中に受信されたオーディオ伝送パケットを前記オーディオデコーダーに伝達することを特徴とする請求項１に記載の移動通信端末機。
【請求項７】
モバイルメッセンジャーサービスの実行中に音声メッセージを伝送するための方法において、
モバイルメッセンジャーサービスの実行中に入力される音声メッセージ伝送要請に応答して、第１端末機が音声メッセージを録音する録音過程と、
前記録音された音声メッセージを含むオーディオ伝送パケットを生成する伝送パケット生成過程と、
あらかじめ設定された周期毎に前記オーディオ伝送パケットをパケットデータ通信網に伝送するオーディオ伝送過程と、を含むことを特徴とするオーディオ伝送方法。
【請求項８】
前記伝送パケット生成過程は、
前記収集された音声メッセージを符号化する段階と、
前記音声メッセージを一度に伝送可能な大きさに分割する段階と、
自身のＩＰアドレス及び相手方のＩＰアドレスと前記分割された音声メッセージとを含むオーディオ伝送パケットを生成する段階と、を含むことを特徴とする請求項７に記載のオーディオ伝送方法。
【請求項９】
前記符号化段階は、前記収集されたオーディオをＥＶＲＣ方式で圧縮することを特徴とする請求項８に記載のオーディオ伝送方法。
【請求項１０】
モバイルメッセンジャーサービスの実行中にパケットデータ通信網を介してオーディオ伝送パケットを受信するオーディオ受信過程と、
前記オーディオ伝送パケットをデコードするデコーディング過程と、
前記オーディオ伝送パケットからデコードされたオーディオデータを出力する出力過程と、をさらに含むことを特徴とする請求項７に記載のオーディオ伝送方法。
【発明の詳細な説明】
【技術分野】
【０００１】
本発明は、モバイルメッセンジャーサービスの提供方法及びその装置に関し、特に、モバイルメッセンジャーサービスの利用中に音声メッセージを伝送する移動通信端末機及びその方法に関する。
【背景技術】
【０００２】
通信産業の発達に伴い、符号分割多元接続（Code Division Multiple Access、以下、ＣＤＭＡという）移動通信システムは、音声サービスだけでなく、パケットデータなどのような大容量のデータをも伝送するマルチキャスティングマルチメディア通信に発展してきている。
このような通信環境と歩調をあわせて、移動通信端末機は、パソコンに次ぐ機能を持つことができるように開発されている。このため、移動通信端末機は、電話通話機能のほか、多様な機能（例えば、文字伝送、イメージ伝送など）をサポートすることができるようになった。また、移動通信端末機は、住所録を利用した人脈管理及びスケジュール管理が可能である。これは、移動通信端末機に格納することができるデータの種類が、電話番号だけでなく、ユーザの住所、インターネットメールアドレス、さらに、個人アバターに達するまで多様な種類に及ぶからである。
【０００３】
したがって、移動通信端末機の使用が急増していて、このため、移動通信端末機に対するユーザの依存度も高まっていることが現況である。
このような傾向と歩調をあわせて、最近、移動通信端末機間にリアルタイムで情報伝達が可能なモバイルメッセンジャーが提案されている。モバイルメッセンジャー（mobile messenger）とは、移動通信網を利用したリアルタイム情報伝達サービスであって、モバイルインターネットを用いてメモ、ファイル、資料をリアルタイムに伝送し、チャットや電話のようにリアルタイムに意思疎通を行うサービスを言う。（韓国特開２００４−９６３３１号公報に記載）
【０００４】
モバイルメッセンジャーサービスは、意思伝達のために主にテキストを利用する。すなわち、従来には、モバイルメッセンジャーサービスの利用中に音声メッセージを伝送することができなかった。
また、このようなモバイルメッセンジャーサービスは、ホスト端末機が生成したバディリストに含まれた多数の端末機のユーザが共にチャットに参加する。したがって、従来のモバイルメッセンジャーサービスユーザは、特定人にのみメッセージを伝送できる方法がなかった。
【特許文献１】韓国特許出願公開第２００４−９６３３１号公報
【発明の開示】
【発明が解決しようとする課題】
【０００５】
本発明は、前述のような問題点を解決するためになされたもので、その目的は、モバイルメッセンジャーサービスを利用したチャット参加者間に音声メッセージを伝送できる移動通信端末機及びその方法を提供することにある。
また、本発明は、モバイルメッセンジャーサービスを利用したチャット参加者のうち特定の一人を指定して音声メッセージを伝送することができる移動通信端末機及びその方法を提供することにある。
【課題を解決するための手段】
【０００６】
上記目的を達成するために、本発明の一態様に係る移動通信端末機は、モバイルメッセンジャーサービスを行う移動通信端末機において、周辺の音声波の収集及び音声波のオーディオ信号への変換を行うマイク部と、前記収集されたオーディオ信号を格納するオーディオ格納部と、前記格納されたオーディオ信号を含むオーディオ伝送パケットを生成するオーディオ伝送データ生成部と、パケットデータ通信網とのインタフェースを提供するパケットデータ通信網インタフェース部と、モバイルメッセンジャーサービスの実行中に入力されるオーディオ伝送要請に応答して、前記マイク部を介して入力されるオーディオ信号を指定されたチャット相手端末機に送信するように、前記マイク部、前記オーディオ格納部、前記オーディオ伝送データ生成部及び前記転送パケットデータ通信網インタフェース部を制御する制御部と、を含むことを特徴とする。
【０００７】
この際、前記マイク部は、前記移動通信端末機のユーザの音声メッセージを入力されて、前記オーディオ格納部に伝達することが好ましい。
また、前記オーディオ伝送データ生成部は、前記入力されるユーザの音声メッセージを符号化し、一度に伝送可能な大きさに分割した後、当該分割された音声メッセージと、自身のＩＰアドレス及び相手方のＩＰアドレスとを含むオーディオ伝送パケットを生成することが好ましい。
また、前記オーディオ伝送データ生成部は、前記収集された音声メッセージをＥＶＲＣ方式で圧縮して分割伝送することが好ましい。
【０００８】
また、前記パケットデータ通信網インタフェース部は、モバイルメッセンジャーサービスの実行中に指定された他の移動通信端末機に前記格納された音声メッセージを伝送するために、前記制御部の制御を受けて、前記オーディオ伝送パケットをパケットデータ通信網に送信することが好ましい。
また、前記移動通信端末機は、オーディオ伝送パケットをデコードするオーディオデコーダーと、前記デコードされたオーディオを出力するスピーカー部と、をさらに含み、前記パケットデータ通信網インタフェース部は、モバイルメッセンジャーサービス実行の中に受信されたオーディオ伝送パケットを前記オーディオデコーダーに伝達することが好ましい。
【０００９】
一方、本発明の他の態様に係るオーディオ伝送方法は、モバイルメッセンジャーサービスの実行中に音声メッセージを伝送するための方法において、モバイルメッセンジャーサービスの実行中に入力される音声メッセージ伝送要請に応答して、第１端末機が音声メッセージを録音する録音過程と、前記録音された音声メッセージを含むオーディオ伝送パケットを生成する伝送パケット生成過程と、あらかじめ設定された周期毎に前記オーディオ伝送パケットをパケットデータ通信網に伝送するオーディオ伝送過程と、を含むことを特徴とする。
【００１０】
この際、前記伝送パケット生成過程は、前記収集された音声メッセージを符号化する段階と、前記音声メッセージを一度に伝送可能な大きさに分割する段階と、自身のＩＰアドレス及び相手方のＩＰアドレスと前記分割された音声メッセージとを含むオーディオ伝送パケットを生成する段階と、を含むことが好ましい。
また、前記符号化段階は、前記収集されたオーディオをＥＶＲＣ方式で圧縮することが好ましい。
また、モバイルメッセンジャーサービスの実行中にパケットデータ通信網を介してオーディオ伝送パケットを受信するオーディオ受信過程と、前記オーディオ伝送パケットをデコードするデコーディング過程と、前記デコードされたオーディオを出力する出力過程と、をさらに含むことが好ましい。
【発明の効果】
【００１１】
本発明は、モバイルメッセンジャーサービスの利用中に移動通信端末機が移動通信網システムまたはサーバーを経由せずに、直接音声メッセージを送受信することができる。従って、本発明は、モバイルメッセンジャーサービスを利用したチャット参加者のうち特定の一人を指定し、音声メッセージを伝送することができるという効果がある。また、前記チャット参加者が一人である場合、音声通話でなく、メッセンジャー機能を用いて音声メッセージを送受信することができる。したがって、テキストを入力する面倒がなく、モバイルメッセンジャーサービスを利用することができるという効果がある。
【発明を実施するための最良の形態】
【００１２】
以下、添付の図面を参照して本発明の好ましい実施形態を詳細に説明する。この際、添付の図面において同じ構成要素は、可能な限り、同じ符号で示している。また、本発明の要旨を曖昧にする公知機能及び構成に関する詳細な説明は省略する。
【００１３】
図１は、本発明が適用されたモバイルメッセンジャーサービスを提供する移動通信システムの例を示す図である。図１を参照すれば、モバイルメッセンジャーサービスを提供する移動通信システム（以下、「モバイルメッセンジャーシステム」という）は、移動通信端末機１００、５００、６００と、短文メッセージサービス（Short Message Service）提供サーバー（以下、「ＳＭＳサーバー」という）２００と、パケットデータコアネットワーク３００と、パケットデータサービングノード（Packet Data Serving Node、以下「ＰＤＳＮ」という）４００と、を含む。
【００１４】
移動通信端末機１００、５００、６００は、モバイルメッセンジャーサービスのためのプログラムが設置された端末機であって、チャット招待のための招待メッセージを伝送するホスト端末機１００と、前記招待メッセージに応答して、チャット参加受諾のための受諾メッセージを伝送するクライアント端末機５００、６００と、を含む。
ＳＭＳサーバー２００は、移動通信網（例えば、ＣＤＭＡ網）を介した短文メッセージ伝送サービスを提供する。特に、ホスト端末機１００の招待メッセージをクライアント端末機５００、６００に伝達する。
パケットデータコアネットワーク（Packet Data Core Network）３００は、ポイントトゥポイントプロトコル（Point to Point Protocol、以下「ＰＰＰ」という）通信チャネルを設定し、パケットデータ通信を行う。
【００１５】
ＰＤＳＮ４００は、パケットデータコアネットワーク３００を介してホスト端末機１００及びクライアント端末機５００、６００の各々に連結され、クライアント端末機５００、６００の各々から伝達された受諾メッセージをホスト端末機１００に伝達する。そして、モバイルメッセンジャーサービスのための初期化後に行われるモバイルメッセンジャーサービスを提供する。すなわち、ホスト端末機１００とクライアント端末機５００、６００との間にリアルタイム情報伝送サービスを提供する。例えば、ホスト端末機１００が入力した情報メッセージをクライアント端末機５００、６００に伝達し、クライアント端末機５００が入力したメッセージをホスト端末機１００及びクライアント端末機６００に伝達し、クライアント端末機６００が入力したメッセージをホスト端末機１００及びクライアント端末機５００に伝達する。
【００１６】
このような構成を有するモバイルメッセンジャーシステムを利用したメッセンジャーサービス実行手続の例が図２に示されている。
図２は、図１に示された移動通信システムを利用したメッセンジャーサービス実行手続を示す図である。特に、図２は、ホスト端末機１００とクライアント端末機５００との間にモバイルメッセンジャーサービスのための初期化過程の例を示す。
図２を参照すれば、前記処理過程の例は、次の通りである。
【００１７】
まず、ホスト端末機１００は、平常時には、移動通信のための動作モードを維持していて、モバイルメッセンジャーサービスのための命令が入力されれば、モバイルメッセンジャープログラムを駆動する（ステップＳ１０５）。
そして、ユーザ選択情報に基づいてバディリスト（buddy list）を生成した後（ステップＳ１１０）、ＰＤＳＮ４００とＰＰＰ接続を行い（ステップＳ１１５）、ＰＤＳＮ４００からＩＰ（Internet Protocol）アドレスを割り当てられる（ステップＳ１２０）。
【００１８】
この時、「バディリスト」は、モバイルメッセンジャーサービスを介したチャットを行おうとするユーザに対するリスト（counterparty user listとも呼ばれる、チャット相手リスト）である。ホスト端末機１００は、ホスト端末機１００内にあらかじめ登録したモバイルメッセンジャーチャット予定者のうち今回のチャットに含めようとするチャット予定者をチャット相手として選択した後、バディリストを生成することが好ましい。しかし、ホスト端末機１００の一般住所録にモバイルメッセンジャーサービスが可能なユーザを識別するための情報を含め、当該一般住所録のモバイルメッセンジャーサービスが可能なユーザのうちからチャット相手を選択することも可能である。
【００１９】
このようにバディリストを生成したホスト端末機１００は、前記バディリストに登録されたチャット相手に対応する端末機の各々に招待メッセージを伝送する。図２の例では、クライアント端末機５００に招待メッセージを伝送する例を示している。すなわち、図２は、前記過程Ｓ１１０でクライアント端末機５００に対応するユーザをバディリストに登録し、前記過程Ｓ１２５、Ｓ１３０では、クライアント端末機５００に招待メッセージを伝送する場合の例を示す。前記招待メッセージ伝送過程Ｓ１２５、Ｓ１３０は、ＳＭＳサーバー２００を介して行われ、前記過程Ｓ１１５で獲得したホスト端末機１００のＩＰアドレスを招待メッセージに含めて伝送する。この時、前記招待メッセージには、前記ＩＰアドレスのほか、ホスト端末機１００のＩＤ情報及びポート番号情報をさらに含めることが好ましい。
【００２０】
すると、前記招待メッセージを受信したクライアント端末機５００は、前記受信したメッセージの種類がモバイルメッセンジャーサービスのためのメッセージであることを判断し、メッセンジャープログラムを駆動する（ステップＳ１３５）。そして、前記招待メッセージからホスト端末機１００の情報を検出する（ステップＳ１４０）。すなわち、クライアント端末機５００は、ホスト端末機１００のＩＤ情報及びポート番号情報を検出する。
また、クライアント端末機５００は、ＰＤＳＮ４００とＰＰＰ接続を行い（ステップＳ１４５）、ＰＤＳＮ４００からＩＰアドレスを割り当てられた後（ステップＳ１５０）、ユーザ選択情報に基づいて前記招待メッセージに対する受諾メッセージをホスト端末機１００に伝達する（ステップＳ１５５、Ｓ１６０）。
【００２１】
この時、クライアント端末機５００は、前記招待メッセージの受信時（ステップＳ１３０）、ホスト端末機１００のＩＰアドレスを既に知っているので、当該ＩＰアドレスを用いてＰＤＳＮ４００を介してホスト端末機１００に受諾メッセージを伝達する。すなわち、自身のＩＰアドレスを出発地アドレスとし、ホスト端末機１００のＩＰアドレスを目的地アドレスとする受諾メッセージを生成した後、これをＰＤＳＮ４００に伝送することによって、この受諾メッセージをホスト端末機１００に伝達する。一方、前記受諾メッセージには、前記ＩＰアドレスのほか、プロトコル情報、ポート番号情報及び認証情報を含むことが好ましい。
【００２２】
すると、ホスト端末機１００は、前記受諾メッセージを伝送したクライアント端末機５００の情報のみを含むようにバディリストを更新する（ステップＳ１６５）。すなわち、ホスト端末機１００は、前記招待メッセージに応答して、受諾メッセージを送らない端末機のユーザをバディリストから削除する。
そして、前記受諾メッセージを送ったクライアント端末機５００に前記過程Ｓ１６５で更新されたバディリストを伝送する（ステップＳ１７０、Ｓ１７５）。この時、ホスト端末機１００は、ＰＤＳＮ４００を介してバディリストを伝送する。
【００２３】
このようにチャット相手間にバディリストが共有されれば、各々のＩＰアドレスを利用したモバイルメッセンジャーサービスが開始される（ステップＳ１８０）。すなわち、各々のチャット相手が前記ＩＰアドレスを用いてＰＤＳＮ４００に接続することによって、モバイルメッセンジャーサービスが開始される。
【００２４】
図３は、モバイルメッセンジャーサービスの利用中の移動通信端末機が本発明の一実施形態によってイメージを送受信するための処理手続の例を示す図である。すなわち、図３は、図２に示されたような処理過程を介してモバイルメッセンジャーサービスのための初期化を完了し、モバイルメッセンジャーサービスを利用中のホスト端末機１００とクライアント端末機５００との間にイメージを送受信するための処理過程の例を示している。特に、図３の例では、ホスト端末機１００が音声メッセージを送信し、クライアント端末機５００が前記音声メッセージを受信する場合の例を示している。
【００２５】
図３を参照すれば、ホスト端末機１００とクライアント端末機５００との間にメッセンジャーが連結され（ステップＳ２０５）、ホスト端末機１００及びクライアント端末機５００が共にテキスト送受信モードで動作中（ステップＳ２１０、Ｓ３０５）の状態で、ホスト端末機１００がオーディオ（例えば、音声メッセージ）伝送要請を受ければ（ステップＳ２１５）、ホスト端末機１００は、オーディオ（例えば、音声メッセージ）を録音する（ステップＳ２２０）。例えば、ホスト端末機１００のユーザがオーディオ（例えば、音声メッセージ）の伝送を要請すれば、ホスト端末機１００は、それに応答して、オーディオ（例えば、ユーザの音声）を録音する。このために、ホスト端末機１００は、マイク及びオーディオ格納部を含み、前記マイクを介してオーディオ（例えば、ホスト端末機１００のユーザの音声など）を入力されて、前記オーディオ格納部に格納することが好ましい。
【００２６】
そして、録音が終了すれば（ステップＳ２２５）、前記録音されたオーディオを伝送するためのオーディオ伝送データを生成する（ステップＳ２３０）。すなわち、ホスト端末機１００は、前記オーディオを符号化した後、一度に伝送可能な大きさに分割する。この時、圧縮方式は、ＥＶＲＣ（Enhanced Variable Rate Codec）方式を利用することが好ましい。そして、前記圧縮分割されたオーディオ（例えば、音声メッセージ）伝送データのヘッダー領域に前記オーディオ伝送データの出発地であるホスト端末機１００のＩＰアドレスと、目的地であるクライアント端末機５００のＩＰアドレスを格納する。すなわち、ホスト端末機１００のＩＰアドレスを出発地情報とし、クライアント端末機５００のＩＰアドレスを目的地情報とするオーディオ伝送パケットを生成する。
【００２７】
次に、ホスト端末機１００は、前記生成されたオーディオ伝送データをクライアント端末機５００に伝送する（ステップＳ２３５）。
クライアント端末機５００は、前記オーディオ伝送データを受信する。そして、前記オーディオ伝送データの受信が完了すれば（ステップＳ３１０）、クライアント端末機５００は、前記受信されたオーディオ伝送データをデコードする（ステップＳ３１５）。例えば、クライアント端末機５００は、オーディオ伝送データの受信のための時間をあらかじめ指定し、その時間の間に受信されたオーディオデータを一度にデコードし、オーディオ出力データを生成する。または、オーディオ分割情報が含まれたオーディオ伝送データを受信した後、当該オーディオ分割情報を用いて当該オーディオ伝送データを一度にデコードし、オーディオ出力データを生成する。
【００２８】
このように、オーディオ伝送データの受信及びデコードが完了すれば、クライアント端末機５００は、現在オーディオ入力状態であるか否かを確認した後、オーディオ入力状態でなければ、前記デコードされたオーディオ伝送データを再生する（ステップＳ３２０）。
そして、メッセンジャー終了要請が発生すれば（ステップＳ３２５）、例えば、クライアント端末機５００のユーザのメッセンジャー終了要請や相手方（例えば、ホスト端末機１００）のメッセンジャー終了要請が発生すれば、それに応答して、クライアント端末機５００は、前記モバイルメッセンジャーサービスを終了する（ステップＳ３３０）。
そうでない場合、クライアント端末機５００は、前記過程Ｓ３０５乃至Ｓ３２５を繰り返して行う。
【００２９】
一方、前記過程Ｓ２３５でオーディオ伝送データを伝送したホスト端末機１００は、メッセンジャー終了要請が発生すれば（ステップＳ２４０）、例えば、ホスト端末機１００のユーザのメッセンジャー終了要請や相手方（例えば、クライアント端末機５００）のメッセンジャー終了要請が発生すれば、それに応答して、ホスト端末機１００は、前記モバイルメッセンジャーサービスを終了する（ステップＳ２４５）。
【００３０】
図３の例で、ホスト端末機１００は、ユーザのオーディオ伝送要請に応答して、ユーザの音声などを録音した後、当該音声を圧縮及び分割し、クライアント端末機５００に直接伝送する。すなわち、移動通信網システムまたはサーバーを経由せずに、端末機同士で直接音声メッセージを送受信する。
したがって、モバイルメッセンジャーサービスを維持しながら前記モバイルメッセンジャーサービスを介したチャット参加者のうち特定人に音声メッセージを伝送することができる。
【００３１】
図４は、本発明の一実施形態によってモバイルメッセンジャーサービスの利用中にオーディオを伝送する移動通信端末機の例を示す図である。図４は、図１乃至図３に示されたホスト端末機１００の例を示す。しかし、ホスト端末機１００とクライアント端末機５００、６００は、招待メッセージを伝送したか否かの差異があるだけで、その構成上の差異はない。したがって、図１に示された移動通信端末機の構成は、クライアント端末機５００、６００にも適用されることができる。
【００３２】
図４を参照すれば、ホスト端末機１００は、マイク１１０、オーディオ格納部１２０、オーディオ伝送データ生成部１３０、ＰＤＳＮインタフェース部１４０、オーディオデコーダー１５０、ユーザインタフェース部１６０、制御部１７０、無線通信インタフェース部１８０及び格納部１９０を含む。
【００３３】
マイク１１０は、周辺の音声波（例えば、ユーザの声など）を収集し、オーディオ信号に変換して、オーディオ格納部１２０に格納する。例えば、マイク１１０は、制御部１７０の制御を受けて、モバイルメッセンジャーサービスの利用中のユーザの音声を入力されて、これをオーディオ格納部１２０に格納する。この時、マイク１１０は、録音が終了するまで前記周辺の音声波（例えば、ユーザの声など）を入力されて、オーディオ格納部１２０に格納する。
オーディオ格納部１２０は、制御部１７０の制御を受けて、マイク１１０から入力されるオーディオ信号を格納する。すなわち、オーディオ格納部１２０は、制御部１７０の録音開始命令に基づいてマイク１１０を介して入力されるオーディオ信号を格納し、制御部１７０の録音終了命令に基づいて格納を終了する。
【００３４】
オーディオ伝送データ生成部１３０は、オーディオ格納部１２０に格納されたオーディオデータを、ＰＤＳＮ（図２の４００）を介して伝送可能な形態に変更する。例えば、前記オーディオデータを一度に伝送可能な大きさに分割した後、圧縮する。この時、圧縮方式は、ＥＶＲＣ（Enhanced Variable Rate Codec）方式を利用することが好ましい。そして、前記分割圧縮されたオーディオ伝送データのヘッダー領域に前記オーディオ伝送データの出発地であるホスト端末機１００のＩＰアドレスと、目的地であるクライアント端末機５００のＩＰアドレスを格納する。すなわち、オーディオ伝送データ生成部１３０は、ホスト端末機１００のＩＰアドレスを出発地情報とし、クライアント端末機５００のＩＰアドレスを目的地情報とするオーディオ伝送パケットを生成する。
【００３５】
ＰＤＳＮインタフェース部１４０は、ＰＤＳＮ（図２の４００）とのデータ通信を行う。例えば、ホストコンピューター１００のバディリストに登録され、モバイルメッセンジャーサービスを利用中の移動通信端末機（例えば、クライアント端末機５００、６００）とデータ通信を行う。特に、ＰＤＳＮインタフェース部１４０は、オーディオ伝送データ生成部１３０で生成されたオーディオ伝送パケットを前記オーディオ伝送パケットに指定された移動通信端末機に伝達する。そして、モバイルメッセンジャーサービスを利用中の他の移動通信端末機のうち１つから伝達されるオーディオ伝送パケットを受信する。
【００３６】
オーディオデコーダー１５０は、ＰＤＳＮインタフェース部１４０を介して受信されたオーディオ伝送パケットをデコードする。例えば、オーディオデコーダー１５０は、ＥＶＲＣで圧縮され、オーディオ伝送パケットに含まれたオーディオをデコードする。
ユーザインタフェース部１６０は、ホスト端末機１００の動作制御のためにユーザとのインタフェースを提供する。特に、ユーザインタフェース部１６０は、モバイルメッセンジャー招待メッセージ伝送及びモバイルメッセンジャーサービスを利用したオーディオ伝送のためのユーザの操作信号を入力されて、制御部１７０に伝達する。
制御部１７０は、ユーザインタフェース部１６０を介して入力された信号またはあらかじめ格納された動作プログラムに基づいてホスト端末機１００を制御する。
【００３７】
例えば、オーディオ伝送が要請されれば、制御部１７０は、音声波（例えば、ホスト端末機１００のユーザの音声波）を録音し、指定されたチャット相手端末機に送信するように、マイク１１０、オーディオ格納部１２０、オーディオ伝送データ生成部１３０及びＰＤＳＮインタフェース部１４０を制御する。すなわち、録音されたオーディオ信号を用いてオーディオ伝送データを生成した後、これを送信するように制御することが好ましい。
または、制御部１７０は、ＰＤＳＮインタフェース部１４０を介して受信されたオーディオ伝送データを処理し、スピーカー（図示していない）などを介して出力するように、オーディオデコーダー１５０を制御する。
【００３８】
また、制御部１７０は、ＰＤＳＮインタフェース部１４０を介してオーディオ伝送データが送信または受信される間は、テキスト送受信を中断することが好ましい。すなわち、制御部１７０は、平常時にホスト端末機１００がテキスト送受信モードで動作するように制御し、オーディオ伝送要請に応答して、ＰＤＳＮインタフェース部１４０を介してオーディオ伝送データを送信したり、モバイルメッセンジャーサービスを利用中の他の移動通信端末機からオーディオ伝送データを受信したりする場合、テキスト送受信を中断することが好ましい。これは、ホスト端末機１００が１つの仮想ポート（例えば、ソケット）を用いてテキスト及びオーディオを送受信するからである。
【００３９】
無線通信インタフェース部１８０は、制御部１７０の制御を受けて、無線通信網を介した通信を行う。例えば、無線通信インタフェース部１８０は、ホスト端末機１００の音声通話を制御し、ＳＭＳサーバー（図２の２００）を介して「短文メッセージ」形態の招待メッセージを伝達する。または、ＳＭＳサーバー（図２の２００）を介して伝達された「短文メッセージ」形態の招待メッセージを受信する。
【００４０】
格納部１９０は、ホスト端末機１００の動作と関連した情報（例えば、オペレーティングシステム、アプリケーションプログラム、前記プログラムと関連したデータなど）を格納する。特に、格納部１９０は、住所録１９１、メッセンジャープログラム１９３及びバディリスト１９５を格納することが好ましい。この時、「バディリスト」１９５は、モバイルメッセンジャーサービスを介したチャットを行おうとするユーザに対するリストである。
【００４１】
このように、本発明は、モバイルメッセンジャーサービスの利用中のユーザが移動通信網システムまたはサーバーを経由せずに、直接音声メッセージを送受信する。また、バディリストに含まれた全てのユーザとモバイルメッセンジャーサービスを介したチャットを維持しながら、前記対話者のうち特定人に音声メッセージを伝送することができる。
【００４２】
以上において説明した本発明は、本発明が属する技術の分野における通常の知識を有する者であれば、本発明の技術的思想を逸脱しない範囲内で、様々な置換、変形及び変更が可能であるので、上述した実施形態及び添付された図面に限定されるものではない。
【図面の簡単な説明】
【００４３】
【図１】本発明が適用されたモバイルメッセンジャーサービスを提供する移動通信システムの例を示す図である。
【図２】図１に示された移動通信システムを利用したメッセンジャーサービス実行手続を示す図である。
【図３】モバイルメッセンジャーサービスの利用中の移動通信端末機が本発明の一実施形態によって音声メッセージを送受信するための処理手続の例を示す図である。
【図４】本発明の一実施形態によってモバイルメッセンジャーサービスの利用中に音声メッセージを伝送する移動通信端末機の例を示す図である。
【符号の説明】
【００４４】
１００  ホスト端末機
２００  短文メッセージサービス提供サーバー
３００  パケットデータコアネットワーク
４００  パケットデータサービングノード
５００  クライアント端末機
６００  クライアント端末機
【図１】
2007295576.tif 000003
【図２】
2007295576.tif 000004
【図３】
2007295576.tif 000005
【図４】
2007295576.tif 000006